(57)【要約】【課題】浴水等の白濁性が向上する微細気泡発生装置を提供する。【解決手段】液体中に気体が加圧溶解された気液溶解流体を減圧手段で圧力開放して、微細気泡を発生させながら吐出ノズル３０から噴射吐出させる微細気泡発生装置であって、吐出ノズル３０の吐出口３の近傍に浴水等の吸込口２が設けられ、この吸込口２にメッシュ（整流用フィルター）４３´が取付けられるとともに、吐出ノズル３０内には、吸込口２から吸い込まれた浴水等の吸い込み通路５０が形成され、この吸い込み通路５０に、メッシュ（整流用フィルター）４３´に近接して整流用貫通小孔４１ｅが形成されている。この構成により、メッシュ（整流用フィルター）４３´と整流用貫通小孔４１ｅとの相俟った整流作用で、吸込口２の付近の浴水等が整流されながら吸込口２に吸い込まれるようになる。【選択図】図６
2008149039.tif 000002
【特許請求の範囲】
【請求項１】
液体中に気体が加圧溶解された気液溶解流体を減圧手段で圧力開放して、微細気泡を発生させながら吐出ノズルから噴射吐出させる微細気泡発生装置であって、
前記吐出ノズルの吐出口の近傍に浴水等の吸込口が設けられ、この吸込口に整流用フィルターが取付けられるとともに、吐出ノズル内には、吸込口から吸い込まれた浴水等の吸い込み通路が形成され、この吸い込み通路に、整流用フィルターに近接して整流用貫通小孔が形成されていることを特徴とする微細気泡発生装置。
【請求項２】
前記吸い込み通路は円筒状に形成され、整流用貫通小孔は、円筒状吸い込み通路の円周方向に多数個が形成されていることを特徴とする請求項１に記載の微細気泡発生装置。
【発明の詳細な説明】
【技術分野】
【０００１】
本発明は、浴水等の白濁性が向上する微細気泡発生装置に関する。
【背景技術】
【０００２】
従来、液体中に気体が加圧溶解された気液溶解流体を減圧手段で圧力開放して、微細気泡を発生させながら吐出ノズルから浴槽内に噴射吐出させるようにした微細気泡発生装置がある（特許文献１参照）。
【特許文献１】特開平１１−３３０７１号公報
【発明の開示】
【発明が解決しようとする課題】
【０００３】
前記のような微細気泡発生装置の吐出ノズルの吐出口の近傍に浴水等の吸込口を設けた場合、吸込口の吸い込み流と吐出口の噴出流とが干渉して、噴出流が乱されるので、微細気泡の白濁度がばらついて、浴水等の白濁性が悪くなるという問題があった。
【０００４】
本発明は、前記問題を解消するためになされたもので、浴水等の白濁性が向上する微細気泡発生装置を提供することを目的とするものである。
【課題を解決するための手段】
【０００５】
前記課題を解決するために、本発明は、液体中に気体が加圧溶解された気液溶解流体を減圧手段で圧力開放して、微細気泡を発生させながら吐出ノズルから噴射吐出させる微細気泡発生装置であって、前記吐出ノズルの吐出口の近傍に浴水等の吸込口が設けられ、この吸込口に整流用フィルターが取付けられるとともに、吐出ノズル内には、吸込口から吸い込まれた浴水等の吸い込み通路が形成され、この吸い込み通路に、整流用フィルターに近接して整流用貫通小孔が形成されていることを特徴とする微細気泡発生装置を提供するものである。
【０００６】
請求項２のように、前記吸い込み通路は円筒状に形成され、整流用貫通小孔は、円筒状吸い込み通路の円周方向に多数個が形成されている構成とすることが好ましい。
【発明の効果】
【０００７】
本発明によれば、吐出ノズルの吐出口の近傍の吸込口に整流用フィルターを取付けるともに、吐出ノズル内の浴水等の吸い込み通路に、整流用フィルターに近接して整流用貫通小孔を形成しているから、整流用フィルターと整流用貫通小孔との相俟った整流作用で、吸込口の付近の浴水等が整流されながら吸込口に吸い込まれるようになるので、吸込口の吸い込み流と吐出口の噴出流とが干渉しにくくなって、噴出流が乱されにくくなるので、微細気泡の白濁のばらつきが少なくなり、浴水等の白濁性が向上するようになる。
【０００８】
請求項２によれば、吸い込み通路が円筒状である場合、整流用貫通小孔を円筒状吸い込み通路の円周方向に多数個を形成できるので、整流用貫通小孔による整流作用が高まるようになる。
【発明を実施するための最良の形態】
【０００９】
以下、本発明を実施するための最良の形態について、図面を参照しながら詳細に説明する。
【００１０】
図１は、例えば、浴槽１内の浴水中に微細気泡を発生させる微細気泡発生装置の基本構成図であり、浴槽１の内側面に吸込口２と吐出口３とが設けられ、浴槽１のフランジ部に空気吸込口４が設けられている。
【００１１】
吸込口２は、接続管５を介してポンプ６の吸い込み側に接続され、ポンプ６の吐出側は流入管７を介して気体溶解装置８の吸込側の噴射口９に接続されている。気体溶解装置８の吐出側の流出口１０は、流出管１１を介して圧力開放部となるベンチュリ管１２の一端に接続され、ベンチュリ管１２の他端は接続管１３を介して浴槽１の側面に設置された吐出口３に接続されている。また、空気吸込口４は、ポンプ６と気体溶解装置８との間の流入管７に接続管１４を介して接続され、接続管１４には、逆止弁１５が設けられている。
【００１２】
そして、気体が溶解した湯水が吐出口３より浴槽１内の浴水中に吐出されると、浴水中で溶解気体が析出して微細気泡が発生するようになる。
【００１３】
前記気体溶解装置８は、図２および図３に詳細に示すように、断面円形の直筒状をした側壁部２１と、この側壁部２１の両側の端部を閉塞する端壁部２２とからなる筒状体２３で構成されて、長手方向すなわち略円筒状をした側壁部２１の中心軸イ（図２の一点鎖線参照）が水平方向ロ（図２の矢印参照）に対して１０〜４５度の傾斜角度θで傾斜する姿勢で配置されている。
【００１４】
この傾斜姿勢の筒状体２３は、上方側の端部が上流側Ａの端部になるとともに、下方側の端部が下流側Ｂの端部となり、上流側Ａに気液混合流体を筒状体２３内に噴射するための噴射口９を形成されるとともに、下流側Ｂに液体を筒状体２３内から流出する流出口１０が形成されている。
【００１５】
筒状体２３内には、溶質となる例えば空気等の気体と、溶媒となる例えば水等の液体とが貯留されるもので、略円筒状をした側壁部２１の上下方向の略中央付近には気体と液体との界面２４が位置し、界面２４より上部の上流側Ａの部分は、気体が貯留される気体貯留部２５になるとともに、界面２４より下流側Ｂの部分は、液体が貯留される液体貯留部２６となる。
【００１６】
前記噴射口９は、気体貯留部２５の内壁面（界面２４より上流側Ａの側壁部２１または端壁部２２の内壁面）か、界面２４寄りの位置か、あるいは界面２４より若干下側の液体貯留部２６の内壁面（界面２４より下流側Ｂの側壁部２１の内壁面）に形成され、流出口１０は、液体貯留部２６の端部付近の内壁面（界面２４より下流側Ｂの側壁部２１または端壁部２２の内壁面）に形成される。
【００１７】
筒状体２３の側壁部２１には、弁（図示せず）を設けた空気抜き口２７が形成してあり、この空気抜き口２７の位置が気体貯留部２５に貯留される気体と液体貯留部２６に貯留される液体の界面２４のレベルとなる。
【００１８】
次に、気体溶解装置８の作用を説明する。噴射口９から筒状体２３内に貯留されているのと同じ液体および気体が噴射されると、噴射口９と対向する側壁部２１の上側の内壁面に衝突し、この内壁面で跳ね返って界面２４にて液体貯留部２６に貯留されている液体に衝突して攪拌される。また、液体貯留部２６に貯留されている液体は、気液混合流体が界面２４に衝突して攪拌される他に、噴射口９から筒状体２３内に噴射される気液混合流体によっても攪拌される。
【００１９】
このように、気液混合流体の側壁部２１の内壁面との衝突や界面２４での衝突による攪拌、噴射される際の液体の攪拌等により、筒状体２３内に貯留している気体および液体、気液混合流体中の気体および液体が混合され、気体の液体への溶解が促進される。すなわち、混合攪拌によるせん断により、液体に混合している気泡（気体）が細分化されて、液体と接する総表面積が大きくなるのに加えて、液体と気体との界面付近における気体の溶解濃度が混合攪拌による均一化により低減されて、気体の液体への溶解速度が上昇するため、気体の液体への溶解が促進される。
【００２０】
気体の溶解が進行した液体は筒状体２３の液体貯留部２６に貯留されるが、貯留されている液体には未溶解の気泡も数多く混合し、このような気泡は上方に行くほど密に存在しており、液体貯留部２６の下端部近傍では気泡はあまり存在せず、大きな気泡は殆ど存在しない。そして、気体の溶解が進行して大きな気泡が殆ど存在しない液体貯留部２６の下端部の液体が流出口１０から筒状体２３外に流出されるようになる。
【００２１】
図４は、前記ベンチュリ管１２の基本構成図である。前記流出管１１のベンチュリ管１２は、中央１個の上流側ベンチュリ管１２ａと複数個（図４の例では５個）の下流側ベンチュリ管１２ｂとの２段構成となっている。このように、下流側ベンチュリ管１２ｂを並列で複数個を設けることにより、上流側ベンチュリ管１２ａで気液混合液中の気泡を粉砕してある程度小さな微細気泡とした後に、下流側ベンチュリ管１２ｂでより小さな微細気泡化させることができるので、より小さい微細気泡を大量に発生させることができる。
【００２２】
図５および図６は、図１〜図４の基本構成を具体化した微細気泡発生装置であり、基本構成と同一構成は同一番号を付して詳細な説明は省略する。
【００２３】
浴槽１の側壁１ａ（図６参照）に吐出ノズル３０が取付けられ、この吐出ノズル３０に、前述した吸込口２、吐出口３、ベンチュリ管１２（１２ａ，１２ｂ）等が組み込まれてユニット化されている。
【００２４】
吐出ノズル３０には、側面視でＬ字状のノズルケース３１が設けられ、ノズルケース３１の内部には、外形状に倣ったＬ字状の流路３１ａが形成されて、この流路３１ａの入口側（縦向き部分）には、前記流出管１１がＯリング３２を介して接続されるとともに、入口側の流路３１ａには、前記中央１個の上流側ベンチュリ管１２ａが嵌め込まれている。
【００２５】
出口側（横向き部分）の流路３１ａには、前記複数個の下流側ベンチュリ管１２ｂを形成したノズル本体２９がＯリング３３を介して嵌め込まれている。
【００２６】
ノズル本体２９には、図９（ａ）（ｂ）に詳細に示すように、ノズルケース３１の出口側（横向き部分）の流路３１ａにＯリング３３を介して嵌め込むための円筒状嵌め込み部２９ａと、この嵌め込み部２９ａから前方（吐出方向）に突出する円筒状突出部２９ｂと、この円筒状突出部２９ｂと嵌め込み部２９ａとの間に板状閉塞部２９ｃとが形成され、この閉塞部２９ｃに、内外２重の同心円が設定され、内側の小径円に沿って、円周上等角度間隔で複数個（本例では、６個）の下流側ベンチュリ管１２ｂが形成され、外側の大径円に沿って、円周上等角度間隔で複数個（本例では１０個）の下流側ベンチュリ管１２ｂが形成されている（本例では下流側ベンチュリ管１２ｂが合計１６個）。
【００２７】
図６に戻って、図７を参照すれば、ノズル本体２９の突出部２９ｂの内周面には、円筒状吸音シート３５が内嵌めされるとともに、この吸音シート３５の内周面には、円筒状静音メッシュ（金網状体）３６が内嵌めされていて、突出部２９ｂの前端部の雄ねじ２９ｄに、円筒状メッシュホルダー３７の雌ねじ３７ａをねじ込むことで、突出部２９ｂに吸音シート３５と静音メッシュ３６とが移動しないように保持されるようになる。
【００２８】
浴槽１の側壁１ａの取付け穴１ｂには、側面視でＵ字状断面のパッキン４０が嵌め込まれ、浴槽１の外側からノズルケース３１の出口側（横向き部分）のフランジ部３１ｂをパッキン４０に当てがうとともに、浴槽１の内側から円筒状固定フランジ４１の後端部の雄ねじ４１ａをノズルケース３１のフランジ部３１ｂの雌ねじ３１ｃにねじ込むことで、固定フランジ４１の前端部のフランジ部４１ｂがパッキン４０に水密に密着し、ノズルケース３１のフランジ部３１ｂがパッキン４０に水密に密着するようになる。これにより、ノズルケース３１が固定フランジ４１で浴槽１の側壁１ａに固定状態で取付けられるようになる。
【００２９】
そして、浴槽１の内側から円筒状ノズルカバー４２の後端部の雌ねじ４２ａを固定フランジ４１のフランジ部４１ｂの雄ねじ４１ｃにねじ込むことで、ノズルカバー４２が固定フランジ４１のフランジ部４１ｂに取付けられるようになる。ノズルカバー４２には、前記吐出口３が形成されている。
【００３０】
固定フランジ４１には、図８に詳細に示すように、メッシュホルダー３７の外周面との間の吸い込み通路５０（後述）を閉塞する板状閉塞部４１ｄが形成され、この閉塞部４１ｄに内外２重の同心円が設定され、内側の小径円に沿って、円周上等角度間隔で多数個の整流用貫通小孔４１ｅが形成され、外側の大径円に沿って、内側の小径円の貫通小孔４１ｅと半ピッチずらせた状態で、円周上等角度間隔で多数個の整流用貫通小孔４１ｅが形成されている。整流用貫通小孔４１ｅは、例えば０．５〜３ｍｍの丸穴若しくは角穴が好ましい。また、閉塞部４１ｄと貫通小孔４１ｅとに代えて、貫通小孔の集合体であるメッシュ（金網状体）を取付けても良い。
【００３１】
この閉塞部４１ｄの内周面とメッシュホルダー３７の外周面との間にパッキン（図示せず）を介在させることで、水密性を向上させることができる。前記整流用貫通小孔４１ｅは、後述する吸込口２のメッシュ（整流用フィルター）４３に近接して形成されている。
【００３２】
ノズルカバー４２の外周面には、図６に示したように、吐出口３に対して直角な方向に、円周上等角度間隔で複数個の前記吸込口２が形成されている。そして、固定フランジ４１の内周面とメッシュホルダー３７およびノズル本体２９の外周面との間には、前記接続管５に連通する浴水の円筒状吸い込み通路５０が形成されている。
【００３３】
ノズルカバー４２の吸込口２と吐出口３とには、メッシュ（金網状体…鎖線参照）４３が取付けられている。
【００３４】
ノズルカバー４２の吐出口３のメッシュ４３は、ノズルカバー４２の後端とメッシュホルダー３７の先端との間に挟み込んで保持するとともに、ノズルカバー４２の吸込口２のメッシュ４３は、吐出口３の部分から吸込口２を覆うように後方に折り曲げて形成することができる。なお、ノズルカバー４２の吸込口２と吐出口３とに個々にメッシュ４３を取付けても良い。このメッシュ４３は、例えば２０〜４０メッシュ、特に３０メッシュ程度で線径０．２９ｍｍのＳＵＳ製金網のものが好ましく、パンチングメタルであっても良い。
【００３５】
吸込口２のメッシュ（整流用フィルター）４３（以後、吐出口３のメッシュ４３と区別するために４３´の符号を付す。）は、塵芥の吸い込みを防止する除塵用としての機能もあるが、本実施形態では、吸込口２の付近の浴水が整流されながら吸込口２に吸い込まれるようにするための整流用としての機能を重視している。
【００３６】
前記のように構成した吐出ノズル３０であれば、図６に示したように、気体が溶解した湯水は、矢印ａのように、流出管１１からノズルケース３１の流路３１ａの上流側ベンチュリ管１２ａと下流側ベンチュリ管１２ｂとを介してノズルカバー４２の吐出口３より浴槽１内の浴水中に吐出されることで、浴水中で溶解気体が析出して微細気泡が発生するようになる。
【００３７】
また、浴槽１内の浴水は、矢印ｂのように、ノズルカバー４２の吸込口２からノズルケース３１内に吸い込まれ、固定フランジ４１の閉塞部４１ｄの貫通小孔４１ｅを通って、図５のように、ノズルケース３１の外側部に接続された接続管５からポンプ６に吸い込まれるようになる。
【００３８】
前記した吐出ノズル３０の構成において、ノズルカバー４２の吸込口２は、吐出口３に対して直角な方向に形成することで、吸込口２の吸い込み流と吐出口３の噴出流との干渉を起こりにくくしているが、吸込口２の吸い込み流で吐出口３の噴出流が乱されることがある。
【００３９】
そこで、吐出ノズル３０の吐出口３の近傍の吸込口２にメッシュ（整流用フィルター）４３´を取付けるとともに、吸込口２から吸い込まれた浴水等の吸い込み通路５０を閉塞する固定フランジ４１の閉塞部４１ｄに、メッシュ（整流用フィルター）４３´に近接する多数個の整流用貫通小孔４１ｅを形成している。
【００４０】
このようにすれば、メッシュ（整流用フィルター）４３´と整流用貫通小孔４１ｅとの相俟った整流作用で、吸込口２の付近の浴水等が整流されながら吸込口２に吸い込まれるようになるので、吸込口２の吸い込み流と吐出口３の噴出流とが干渉しにくくなって、噴出流が乱されにくくなるので、微細気泡の白濁のばらつきが少なくなり、浴水等の白濁性が向上するようになる。
【００４１】
また、吸い込み通路５０を円筒状に形成することで、整流用貫通小孔４１ｅを円筒状吸い込み通路５０の円周方向に多数個を形成できるので、整流用貫通小孔４１ｅによる整流作用が高まるようになる。
【図面の簡単な説明】
【００４２】
【図１】本発明の実施形態に係る気体溶解装置を備えた浴槽装置の基本構成図である。
【図２】図１の気体溶解装置の斜視図である。
【図３】図１の気体溶解装置であり、（ａ）は断面図、（ｂ）は（ａ）のＩ―Ｉ線断面図である。
【図４】図１のベンチュリ管の断面図である。
【図５】本発明の実施形態に係る気体溶解装置を備えた浴槽装置を具体化した斜視図である。
【図６】図５の吐出ノズルの断面図である。
【図７】ノズル本体、吸音シート、静音メッシュ、メッシュホルダーの分解斜視図である。
【図８】固定フランジであり、（ａ）は正面図、（ｂ）は側面断面図である。
【図９】ノズル本体であり、（ａ）は斜視図、（ｂ）は側面断面図である。
【符号の説明】
【００４３】
１  浴槽
２  吸込口
３  吐出口
８  気体溶解装置
１２ａ  上流側ベンチュリ管
１２ｂ  下流側ベンチュリ管
１２ｃ  吐出口
２９  ノズル本体
３０  吐出ノズル
３１  ノズルケース
４１  固定フランジ
４１ｄ  閉塞部
４１ｅ  整流用貫通小孔
４２  ノズルカバー
４３´  メッシュ（整流用フィルター）
５０  吸い込み通路
【図１】
2008149039.tif 000003
【図２】
2008149039.tif 000004
【図３】
2008149039.tif 000005
【図４】
2008149039.tif 000006
【図５】
2008149039.tif 000007
【図６】
2008149039.tif 000008
【図７】
2008149039.tif 000009
【図８】
2008149039.tif 000010
【図９】
2008149039.tif 000011